(57)【要約】【課題】  表示部や表示画面や操作子やＣＣ窓などのカメラ表面に配設する部材を一回り小さなものに置き換えなくても済むカメラを提供すること。【解決手段】  モードダイヤル１５７を光透過性部材で構成してそのモードダイヤル１５７に重ねて４つのＬＥＤ１６ａ〜１９ａからなる表示部を設ける。このようにＬＥＤをモードダイヤル１５７に重ねて配設した分カメラボディ表面の配設スペースが拡がり、比較的大きな表示画面１０１ａを配設しても大きなモードダイヤル１５７を配設することができるようになる。さらにその操作子に重なる位置にフィルム確認装填窓１００ａを設けておく。【選択図】  図４
2005274986.tif 000002
【特許請求の範囲】
【請求項１】
複数のモードを有し少なくとも１つのモードが撮影を行なうモードである撮影装置において、
所定の状態を表示する表示部と、
前記複数のモードの内の任意のモードを選択するモード切替操作子とを備え、
前記モード切替操作子が、いずれのモードに切り替えられた場合においても、前記表示部を覆う光透過性部材からなるものであることを特徴とする撮影装置。
【請求項２】
複数のモードを有し少なくとも１つのモードが撮影を行なうモードである撮影装置において、
所定のモードでのみ意味を持つ表示を行なう表示部と、
前記複数のモードの内の任意のモードを選択するモード切替操作子とを備え、
前記モード切換操作子が、前記複数のモードのうち前記所定のモードに切り換えられた状態にあるときに、前記表示部に重なる視認窓を有するものであることを特徴とする撮影装置。
【請求項３】
この撮影装置は、写真フィルムが装填されるフィルム装填室と撮像素子との双方を備え、前記複数のモードのうちの１つのモードが装填された写真フィルム上に撮影を行なう第１のモードであり、前記複数のモードのうちの他の１つが撮像素子で被写体を表わす画像データを生成する第２のモードであって、さらに
前記表示部が、前記フィルム装填室に写真フィルムが装填されているか否かを確認するためのフィルム装填確認窓であり、
前記モード切替操作子が、前記第１のモードに切換られた状態にあるときに前記フィルム装填確認窓に重なる視認窓を有するものであることを特徴とする請求項２記載の撮影装置。
【発明の詳細な説明】
【技術分野】
【０００１】
本発明は、複数のモードを有し少なくとも１つのモードが撮影を行なうモードである撮影装置に関する。
【背景技術】
【０００２】
撮影装置、例えばカメラは操作子を多数備えたものが多い。小型で扱いやすいカメラを製作する場合には、操作子の数が増えれば増えるほど、限られた大きさの中に多数の操作子をうまく配設しなければならない。また、これらの操作子が操作されたときにその操作内容がどのようなものであるかをユーザに知らせるため、カメラにはその操作内容を表示画面に表示するものがある。この表示画面に表示される操作内容の表示は、ユーザにとってはカメラを操作するときの手助けになるため、表示画面ができうる限り大きなものの方が良いが、その大きな表示画面を必要数分の操作子とともに小型のカメラボディに配設するとなると、なかなかうまくいかない。
【０００３】
また、大きい方がいいからといって表示画面を大きくしてあまり多くの情報をその表示画面に表示し過ぎると、必要な情報が却って見づらくなることもある。このため、カメラボディに配設された操作子のうち、モード切替操作子の切換に応じてその切り換えられたモードには不要な表示をマスク部材により覆ってそのモードに対応する必要情報のみを表示画面上にくっきりと表示させようという技術が開示されている（例えば、特許文献１参照）。しかし、この特許文献１に記載されている技術は表示画面の見易さを保証するための技術であって小型化に寄与するものではない。
【０００４】
また、デジタルカメラなどでは、画像表示用の表示画面を操作表示用には使用せずに操作内容の表示を行なう表示部例えばＬＥＤなどを別途設ける場合もある。そうすると、画像表示用の表示画面の大きさをそのままにしてそれらの表示部を配設するのはなかなか難しい。このため、画像表示用の表示画面をやや小さめにしたり、操作子の数を減らしたりして表示部としていつくかのＬＥＤや小型のＬＣＤを配設する場合が多い。このような場合には、十字キーなどを設けて表示画面上で項目の選択を行なえるようにして、操作子の数を減らしたり、ＬＥＤを削除したりすることも考えられる。しかし、項目ごとに操作子を設けてそれらの操作子のうち、いずれかを１タッチ操作するだけの方がユーザにとっては扱いやすいと考える人も少なくなく、十字キーなどを設けた場合においても特に必要な操作子だけは操作表示用のＬＥＤなどとともに別途設けるケースが多い。
【０００５】
図１は、デジタルカメラと銀塩カメラとの双方が配備されたハイブリッドカメラを示す図である。
【０００６】
図１に示すカメラ２０のカメラボディ背面には見易さを保証することができる程度の大きさを持つＬＣＤパネル２１と、操作のし易さを保証することができる程度の大きさを持つモードダイヤル２２と、操作内容を表示する表示部としての４つのＬＥＤ２４が設けられているが、さらに図１に示すカメラは、ハイブリッドカメラであるため、カメラボディ背面にフィルム装填確認窓（以下ＣＣ窓という２３）も設けられている。
【０００７】
このようなカメラのカメラボディ背面のレイアウトを設計するにあたって必要最小限の大きさのものをカメラボディ背面に配設しているが、どうしてもカメラボディの外形の制約からＬＣＤパネル２１や操作子２２やＬＥＤ２４やＣＣ窓２３のうち少なくとも一つの部材を少々操作性や見易さが劣化しても、一回りに小さなものに置き換えなければならない場合がある。
【特許文献１】特許第３３７０４２５号公報
【発明の開示】
【発明が解決しようとする課題】
【０００８】
本発明は、上記事情に鑑み、表示部や表示画面や操作子やＣＣ窓などのカメラ表面に配設する部材を一回り小さなものに置き換えなくても済むカメラを提供することを目的とする。
【課題を解決するための手段】
【０００９】
上記目的を達成する本発明の第１のカメラは、複数のモードを有し少なくとも１つのモードが撮影を行なうモードであるカメラであって、
所定の状態を表示する表示部と、
上記複数のモードのうちの任意のモードを選択するモード切替操作子とを備え、
上記モード切替操作子が、いずれのモードに切り替えられた場合においても、上記表示部を被う光透過性部材からなるものであることを特徴とする。
【００１０】
上記本発明のカメラによれば、上記表示部が上記光透過性部材からなる上記モード切替操作子に覆われた状態で配置される。このため操作子の少なくとも一部を表示部と重ねて配置することができ、操作子の、表示部と重なるスペースからゆとりが生まれ、そのゆとりによってモード切替操作子や表示画面を一回り小さなものに置き換えなくても済むカメラが実現される。
【００１１】
また、上記目的を達成する本発明の第２のカメラは、複数のモードを有し少なくとも１つのモードが撮影を行なうモードであるカメラであって、
所定のモードでのみ意味を持つ表示を行なう表示部と、
上記複数のモードの内の任意のモードを選択するモード切替操作子とを備え、
上記モード切換操作子が、上記複数のモードのうち上記所定のモードに切り換えられた状態にあるときに、上記表示部に重なる視認窓を有するものであることを特徴とする。
【００１２】
上記本発明の第２のカメラでは、所定のモードに切り換えられた状態にあるときに上記表示部に重なる視認窓によりその所定のモードでのみ意味を持つ表示がその視認窓を通して視認される。上記第１のカメラにあっては、上記モード切替操作子がいずれのモードに切り替えられた場合においても上記表示部を被う光透過性部材からなる上記モード切替操作子を通して上記表示部の表示が視認されるようにしたが、この第２のカメラのように上記モード切替操作子に視認窓を設けることによって所定のモードでのみ表示が視認されるようにしても第１のカメラと同様の効果が得られる。
【００１３】
さらにこの第２のカメラによれば、所定のモード以外のモードに関する情報が隠されて不必要な情報が表示されずに必要情報のみが表示されてユーザに伝えられるため、カメラとしての操作性能が向上する。
【００１４】
ここで、この第２のカメラが、写真フィルムが装填されるフィルム装填室と撮像素子との双方を備え、上記複数のモードのうちの１つのモードが装填された写真フィルム上に撮影を行なう第１のモードであり、上記複数のモードのうちの他の１つが撮像素子で被写体を表わす画像データを生成する第２のモードであってさらに
上記表示部が、上記フィルム装填室に写真フィルムが装填されているか否かを確認するためのフィルム装填確認窓であり、
上記モード切替操作子が、上記第１のモードに切換られた状態にあるときに上記フィルム装填確認窓に重なる視認窓を有するものであることが好ましい。
【００１５】
そうすると、上記第１のモードに切り換えられた状態にあるときに表示部である上記フィルム装填確認窓が視認窓に重なって、その第１のモードに切り換えた状態で写真フィルム上に撮影を行なうときにだけ、フィルム装填確認窓から写真フィルムが装填されているか否かが確認される。このようにすると、必要なときに必要な情報のみをユーザに伝えることができる。
【発明の効果】
【００１６】
以上、説明したように、表示部や表示画面や操作子やＣＣ窓などのカメラ表面に配設する部材を一回り小さなものに置き換えなくても済むカメラが実現される。
【発明を実施するための最良の形態】
【００１７】
以下図面を参照して本発明の実施の形態を説明する。
【００１８】
図２は本発明の第１の実施形態であるハイブリッドカメラの外観を示す図である。
【００１９】
このハイブリッドカメラ１はデジタルカメラ（以下ＤＳＣという）と銀塩カメラとの双方が配備されたものである。このハイブリッドカメラは動画を撮影することもできる。
【００２０】
図２（ａ）には正面図が、図２（ｂ）には図１（ａ）の中央を切断してその断面を横から見た図が、図２（ｃ）には背面図がそれぞれ示されている。
【００２１】
図２（ａ）に示すようにカメラボディ中央にレンズ鏡胴１０が備えられており、そのレンズ鏡胴には銀塩カメラの撮影レンズ１１ａが内蔵されている。またそのレンズ鏡胴１０の上方にＤＳＣの撮影レンズ１２ａが備えられており、そのＤＳＣ側の撮影レンズ１２ａの両側にはファインダ１３と閃光発光窓１４が備えられている。さらに、カメラボディ上面にはレリーズ釦１５０が配備されており、そのレリーズ釦１５０が操作されると、内部の制御部に撮影指示が伝えられる。
【００２２】
このようにこのハイブリッドカメラ１は銀塩カメラの第１の撮影光学系と、ＤＳＣの第２の撮影光学系とを各々独立に備えている。
【００２３】
図２（ｂ）には鏡胴断面を横方向から見た図が示されており、媒体装填室内に装填されたパトローネ１００と撮像素子１２０との位置関係が示されている。その媒体装填室に装填されたパトローネ１００内に巻回されている写真フィルムが給送モータ（不図示）により引き出されて撮影コマが撮影面にセットされ、そのセットされた撮影コマに第１の撮影光学系が備える撮影レンズ１１ａにより被写体が結像され、また第２の撮影光学系が備える第２の撮影レンズ１２ａによりその被写体と同一の被写体が撮像素子１２０に結像される。
【００２４】
また、図２（ｃ）に示す背面部にはモード切替操作子１５７のほか様々なスイッチ群と第２の撮影光学系１２が備える撮影レンズ１２ａで捉えたフレーミング画像が表示されるＬＣＤパネル１０１ａが配備されている。
【００２５】
ＬＣＤパネル１０１ａの上方には、スイッチ群として表示画面のオンオフを指示する操作子１５１やメニューをＬＣＤパネル１０１ａ上に表示するためのメニュー釦１５２やその選択メニューが表示されたときに選択項目を指定するＯＫ釦１５３が配備されている。またＬＣＤパネル１０１ａの右脇にもスイッチ群としてそのＬＣＤパネル１０１ａ上に表示される選択項目を変更するためのＵＰキー１５４やＤＯＷＮキー１５５が、またその下方にはフラッシュ切替釦１５６が配備されている。このフラッシュ切換釦１５６が操作されると、プログラムフラッシュモードや赤目低減発光モードなどのうち、いずれかのフラッシュモードが指定される。
【００２６】
さらに、ＵＰキー１５４やＤＯＷＮキー１５５の隣にはモードダイヤル１５７が、そのモードダイヤル１５７の下方には電源スイッチ１５８が配備されている。図２に示すハイブリッドカメラは、ＤＳＣモード、銀塩モード、動画撮影モード、再生モードの４つのモードを有するものであって、このモードダイヤル１５７が本発明にいうモード切替操作子にあたる。これらのモードのうち、銀塩モードが本発明にいう第１のモードにあたり、ＤＳＣモードあるいは動画撮影モードが本発明にいう第２のモードにあたる。このモードダイヤル１５７は光透過性部材からなり、そのモードダイヤル１５７がいずれかのモードに切り換えられると、そのモードダイヤル１５７に重なるようにカメラボディ１ａ表面に配備されている表示部ここではＬＥＤ１６ａ〜１９ａのいずれかが点灯してどのモードであるかが撮影者に通知される。図２にはモードダイヤル１５７が銀塩モードに切り換えられた状態が示されている。
【００２７】
このモードダイヤル１５７が銀塩モードに切り換えられると、ＬＥＤ１６ａが点灯して銀塩モードであることが撮影者に通知され、第１の撮影光学系での撮影準備が整えられる。このときには前述したようにＬＣＤパネル１０１ａ上に第２の撮影光学系で捉えたフレーミング画像が表示され、このフレーミング画像を見ながらでもファインダを覗いてでもどちらでも撮影を行なえるようになっている。このハイブリッドカメラ１では、カメラボディにフィルムが装填されているか否かを確認するフィルム装填確認窓（以下ＣＣ窓という）１００ａが穿設されており、写真フィルムが装填されているか否かがいつでも分かるようになっている。
【００２８】
このようにして写真フィルムが装填されているかどうかがモード切替操作子とＣＣ窓を通して確認され、フレーミング画像によりフレーミングが行なわれシャッタチャンスにシャッタ釦１５０が押されると、第１の撮影光学系の撮影レンズ１１ａにより写真フィルム上に被写体が結像される。このハイブリッドカメラ１では第２の撮影光学系の撮影レンズ１２ａにより第１の撮影光学系の撮影レンズ１１ａが捉える被写体と同一の被写体が撮像素子１２０の感光面上に結像されるようになっており、その撮像素子１２０で生成される画像データの中の輝度情報に基づいて第１の撮影光学系１１が備える絞り兼用シャッタが駆動され、写真フィルムの撮影コマ上に被写体が適正光量で結像されるようになっている。またモードダイヤル１５７がＤＳＣモードあるいは動画撮影モードに切り換えられると、ＬＥＤ１７ａあるいはＬＥＤ１８ａが点灯してＤＳＣモードあるいは動画撮影モードであることが撮影者に通知される。これらのモードの場合には第１の撮影光学系が備える絞り兼用シャッタは駆動されずに、そのシャッタ釦１５０が押されたタイミングに応じて撮像素子１２０で画像データが生成され、その画像データがメモリカードに記録される。
【００２９】
また、第１の撮影光学系の撮影レンズ１１ａの中には焦点距離可変なズームレンズが配備されており、そのズームレンズによる焦点距離の変更がモードダイヤル１５７の上方にあるズームスイッチ１５９の操作により行なわれる。またモードダイヤル１５７の横にはフィルムを交換するときに操作される裏蓋開閉摘み１５８１も設けられている。
【００３０】
また、モードダイヤル１５７が再生モードに切り換えられると、ＬＥＤ１９ａが点灯して再生モードであることが撮影者に通知され、メモリカード内にある画像データのうち、最も新しい時刻に撮影された既撮影画像データに基づく画像がＬＣＤパネル１０１ａ上に表示される。このときにＵＰキー１５４あるいはＤＯＷＮキー１５５が操作されると、他の既撮影画像データに基づく画像がＬＣＤパネル１０１ａ上に次々と表示される。
【００３１】
図３は図２のハイブリッドカメラの内部構成を示す構成ブロック図である。
【００３２】
図３に示すようにＣＰＵ１１０とＤＳＰ１３０とで協同して図１のハイブリッドカメラ１全体の動作が制御される。ＣＰＵ１１０側のＥＥＰＲＯＭ１１１内にはプログラムが記述されており、そのプログラムに基づいてこのハイブリッドカメラ全体の動作を制御する処理がＣＰＵ１１０により実行される。
【００３３】
図３の構成に示すとおり、ＣＰＵ１１０により銀塩カメラ側の第１の撮影光学系側が制御され、そのＣＰＵ１１０の指示を受けたＤＳＰ１３０によりＤＳＣ側の第２の撮影光学系側が制御される。
【００３４】
銀塩カメラ側の第１の撮影光学系１１は、フォーカスレンズとズームレンズを含む撮影レンズ１１ａとフィルムに与える光量を調節する絞り兼用シャッタ１１ｂを備えており、またＤＳＣ側の第２の撮影光学系１２はフォーカスレンズを含む撮影レンズ１２ａと絞り１２ｂとを備えている。
【００３５】
まずモードダイヤルが第２のモードであるＤＳＣモードに切り換えられたときの動作を簡単に説明する。
【００３６】
このＤＳＣモードにモードダイヤル１５７が切り換えられると、ＬＥＤ１８ａが点灯してＤＳＣモードであることが撮影者に通知される。このモードダイヤル１５７がＤＳＣモードに切り換えられたと同時にＤＳＣ側での撮影処理を行なえるように撮影準備が整えられる。
【００３７】
簡単にＤＳＣ側の構成と動作を説明する。
【００３８】
ＤＳＣ側には撮像素子１２０としてＣＭＯＳセンサが配備されており、その撮像素子１２０の後段には雑音を低減するためのＣＤＳ（Ｃｏｒｒｅｌａｔｅｄ  Ｄｏｕｂｌｅ  Ｓａｍｐｌｉｎｇ）１２１や振幅を調節するＡＧＣ（Ａｕｔｏ  Ｇａｉｎ  Ｃｏｎｔｏｒｏｌ）１２２が配備されている。
【００３９】
撮影素子１２０では第２の撮影光学系１２で受光部つまり感光面に結像させた被写体光に基づくＲＧＢ信号が生成され、その生成されたＲＧＢ信号がＴＧ（タイミングジェネレータ）１２１からのタイミング信号に応じてＣＤＳ／ＡＧＣ１２１に所定の時刻（例えば３３ｍｓ）ごとに出力される。そのＣＤＳ／ＡＧＣ１２２によって雑音が除去され、さらに振幅が調節されて、その雑音が除去され振幅が調節されたＲＧＢ信号がＡ／Ｄ部１２２に供給され、デジタル信号に変換される。そのデジタル信号になったＲＧＢ信号がＤＳＰ１３０に供給され、ＲＧＢ信号に適宜画像処理が行なわれる。そのＲＧＢ信号に基づいて測光部１３２によって測光が行なわれ、測距部（以下ＡＦという）１３１によって被写体距離の測定が行なわれる。このＡＦ１３１による測距を行なうにあたってフォーカスレンズを移動させる必要があるのでフォーカス駆動部１２４が設けられており、また、測光部の測光結果に応じて絞りを駆動する必要があるのでドライバＩＣ１２３も設けられている。
【００４０】
また、デジタル信号となったＲＧＢ信号は１画面分全て一旦ＳＤＲＡＭ１４０に記憶され、ＤＳＰ内蔵のデジタルＩ／Ｏ、ＬＣＤコントローラを経てＲＧＢ画素配列パターンがＬＣＤパネル１０１に沿った形式に変更された後、ＬＣＤパネル１０１に転送される。上記デジタル信号となったＲＧＢ信号一画面分の信号は、３３ｍｓごとに更新され、更新されるたびにＬＣＤパネル１０１ａ上に表示される画像が切り換えられてあたかも動いている画像のように表示画面上に被写体を表わす画像が表示される。この画像がフレーミング用の画像になって撮影が行なわれる。
【００４１】
次にＤＳＣモードあるいは動画撮影モードでの撮影処理を説明する。
【００４２】
フレーミング画像が表示されている状態でシャッタ釦１５０が押されると、シャッタ釦１５０が押されたタイミングでＴＧ１２０ｄから露光開始指示を示すタイミング信号と露光終了指示を示す信号が所定の時間を隔ててそれぞれ供給される。露光を開始してから所定の時間を経た後、露光終了指示を示す信号が撮像素子１２０に供給されたら、撮像素子１２０内のＲＧＢ信号がＣＤＳ／ＡＧＣ１２１に出力され、ＤＳＰ１３０側に供給され、このＤＳＰ１３０に供給されたＲＧＢ信号すべてが一旦ＳＤＲＡＭ１４０に記憶される。その後、ＤＳＰ１３０によりＲＧＢ信号が読み出され、ＹＵＶ信号に変換され、さらにそのＹＵＶ信号が圧縮されて、圧縮されたＹＵＶ信号からなる画像データにヘッダが付加され画像ファイルとなってメモリカードに画像データが記憶される。動作撮影モードにおいては、３３ｍｓごとに撮像素子から読み出された一連の画像データが動画データとしてメモリカードに記録される。なお、ＤＳＰ１３０には、他にバッテリチェック（以下ＢＣという）１３３なども内蔵されている。
【００４３】
次にモードダイヤル１５７が第１のモードである銀塩モードに切り換えられたときの動作を説明する。
【００４４】
まずモードダイヤル１５７が銀塩モードに切り換えられると、ＬＥＤ１６ａが点灯して銀塩モードであることが撮影者に通知される。
【００４５】
このハイブリッドカメラ１においては、モードダイヤル１５７が銀塩モードに切り換えられても、ＤＳＣ側で生成されたフレーミング画像はそのまま表示画面上に表示されるので、そのフレーミング画像によりフレーミングを行なってシャッタ釦１５０を押すことにより撮影を行なうこともできる。
【００４６】
このようにシャッタ釦１５０が押されると、ＣＰＵ１１０により絞り兼用シャッタ１１ｂが駆動され写真フィルム上に撮影が行なわれる。この絞り兼用シャッタ１１ｂを駆動するにあたっては、ＤＳＣ側の測光部１３２での測光値がＤＳＰ１３０からＣＰＵ１１０に伝えられ、第１の撮影光学系１１の絞り兼用シャッタ１１ｃの開放駆動制御が行なわれる。この絞り兼用シャッタ１１ｂはプログラムシャッタであり、その絞り兼用シャッタ１１ｂをプログラムシャッタとして作動させるためにＥＥＰＲＯＭ１１１内にはそのプログラムシャッタを駆動するために必要な絞りとシャッタスピードの組み合わせが絞り値として記録されている。ＤＳＣ側の測光部１３２で測定した測光値に応じてＣＰＵ１１０により、いずれかの絞り値が読み出され、その絞り値がドライバＩＣ１１ｃに供給される。ドライバＩＣ１１ｃではその絞り値になるように絞り兼用シャッタ１１ｂを最大開口角まで時間の経過とともに開放駆動していき所定の時間後に閉駆動する。
【００４７】
なお、図３の左下には第１の撮影光学系１１が備える撮影レンズ１１ａの中のズームレンズや第１の撮影光学系１１が備える絞り兼用シャッタ１１ｂや写真フィルムの給送を行なう給送モータそれぞれの駆動を行なう駆動部が一つのドライバＩＣ１１ｃで示されている。
【００４８】
また、このハイブリッドカメラ１には測温器１１３が配備されておりその測温器により測定された温度と絞り値に応じてフラッシュ１１４の発光時間などが細かく制御される。また、ＤＳＣ側、銀塩側ともに被写体距離を測定するＡＦ１３１、１１５が配備されているが、これは双方の被写体距離の測距値を補正するためのものである。
【００４９】
このような構成を持つハイブリッドカメラのＣＰＵ１１０が４つのＬＥＤ１６ａ〜１９ａからなる表示部の点灯制御も行なっている。
【００５０】
図４は、図２からモードダイヤルとＬＣＤパネルを抜き出して図１と比較することができるようにした図である。図２にはスイッチ群が示されているが、図１のモードダイヤルと図４のモードダイヤルの大きさの比較を行なえるように、図４にはＬＣＤパネル１０１ａとモードダイヤル１５７とだけを抜き出してカメラボディ背面に配設した図が示されている。
【００５１】
表示部の４つの発光ダイオード１６ａ〜１９ａそれぞれは、銀塩モード、ＤＳＣモード、動画撮影モード、再生モードに対応する位置に配置されている。モードダイヤル１５７がいずれかのモードに切り換えられると、モードダイヤル１５７のいずれかの接点が接続され、その接続された接点からの信号がＣＰＵ１１０（図３参照）に入力される。ＣＰＵ１１０がその信号を受け取ってその接点に対応するＬＥＤ１６ａ〜１９ａのうちいずれかに点灯信号を供給するとその点灯信号を供給したいずれかのＬＥＤ１６ａ〜１９ａが点灯する。この点灯によりどのモードであるかが撮影者に通知される。また、光透過性部材からなるモードダイヤル１５７とＣＣ窓１００ａを通して写真フィルムが装填されているか否かがいつでも視認されるようになっている。
【００５２】
図１と図４を比較すると、表示部であるＬＥＤ１６ａ〜１９ａとＣＣ窓１００ａとが光透過部材からなるモードダイヤル１５７に重ねて配備されたことによってモードダイヤル１５７を大きくしても双方がコンパクトなカメラボディに配備されたことが分かる。
【００５３】
図５は、別の実施形態を示す図である。
【００５４】
モードダイヤル１５７Ａの構成が変更されている以外、図２と同様の構成である。
【００５５】
図６は、図５に示すモードダイヤルを抜き出して示した図である。
【００５６】
この図６には、本発明にいう所定のモードでのみ意味を持つ表示を行なう表示部をフィルム装填確認用窓とした場合の例が示されている。
【００５７】
図６に示すように、モードダイヤル１５７Ａが、銀塩モード、ＤＳＣモード、動画撮影モード、再生モードのうち、銀塩モードに切り換えられた状態にあるときに、表示部ここではカメラボディに穿設されているＣＣ窓１００ａに重なる視認窓１５７１Ａを有する。銀塩モードにモードダイヤル１５７が切り換えられたときにだけ、この視認窓１５７１ＡがＣＣ窓１００ａに重なって、写真フィルムが装填されているか否かが視認される。
【００５８】
モードダイヤル１５７が銀塩モード以外の他のモードに切り換えられた状態にあるときに表示を行なう必要がない場合には、このような構成にしても良く、図１と比べるとＣＣ窓１００ａに重ねて配置した分のスペースに大きなモードダイヤル１５７が配設されたことが分かる。また、所定のモード以外のモードに関する情報を隠すことができ、必要な情報のみが操作者に伝えられるという効果も得られる。
【００５９】
図７は図５、図６のモードダイヤルの構成をスライドスイッチ２００に適用した場合の例である。
【００６０】
このようなスライドスイッチ２００にも図５の構成が適用され、スライドスイッチ２００の幅および長さ分のスペースがあればスライドスイッチ２００とＣＣ窓１００ａに視認窓２００Ａが重なったときにＣＣ窓１００ａが表示部として機能して写真フィルムが装填されているか否かがその視認窓２００Ａおよびフィルム装填確認窓１００ａを通して視認される。
【００６１】
なお、本発明ではハイブリッドカメラを例に挙げて説明したが、デジタルカメラ、一眼レフカメラなどであっても良い。また、所定のモードを銀塩モードとして、その銀塩モードでのみ意味を持つ表示を行なう表示部をフィルム装填確認窓とした場合の例を説明したが、所定のモードでの意味を持つ表示としては様々なものが考えられ、例えば所定のモードをフラッシュモードとしてそのフレッシュモードでのみ意味を持つ情報を閃光発光に必要な電力がメインコンデンサに蓄えられているかどうかを示す情報としても良い。
【００６２】
以上説明したように光透過性部材からなる操作子が表示部のＬＥＤに重ねて設けられ、その専用の操作表示部を設けても表示画面や操作子の小型化を図らなくて済むカメラが実現される。さらに従来ＬＥＤを配設していたスペース分、大きなモードダイヤルが配設され、操作し易いカメラが実現される。
【図面の簡単な説明】
【００６３】
【図１】カメラボディ背面に表示画面と操作子が配備された例を示す図である。
【図２】本発明の第１の実施形態であるハイブリッドカメラの外観を示す図である。
【図３】図１のハイブリッドカメラの内部構成を示す構成ブロック図である。
【図４】図２からモードダイヤルとＬＣＤパネルを抜き出して図１と比較することができるようにした図である。
【図５】別の実施形態を示す図である。
【図６】図５に示すモードダイヤルを抜き出して示した図である。
【図７】図５、図６のモードダイヤルをスライドスイッチ２００に適用した場合の例である。
【符号の説明】
【００６４】
１    ハイブリッドカメラ
１ａ    カメラボディ
１００ａ    フィルム装填確認窓（ＣＣ窓）
１０    レンズ鏡胴
１１    第１の撮影光学系
１１ａ    撮影レンズ
１１ｂ    絞り兼用シャッタ
１２    第２の撮影光学系
１２ａ    撮影レンズ
１２ｂ    絞り
１３    ファインダ
１４    フラッシュ発光窓
１５    スイッチ群
１５０    シャッタ釦
１５１    ＬＣＤパネルスイッチ
１５２    ＯＫ釦
１５３    メニュー釦
１５４    ＵＰキー
１５５    ＤＯＷＮキー
１５６    フラッシュ切換釦
１５７    モードダイヤル
１５７Ａ    モードダイヤル
１５７１Ａ    視認窓
１５８    電源スイッチ
１５８１    裏蓋開閉摘み
１５９    ズームスイッチ
１６ａ    ＬＥＤ
１７ａ    ＬＥＤ
１８ａ    ＬＥＤ
１９ａ    ＬＥＤ
１０１    ＬＣＤ
１０１ａ    ＬＣＤパネル
１１０    ＣＰＵ
１１１    ＥＥＰＲＯＭ
１１２    Ｂ．Ｃ（バッテリチェック）
１１３    測温器
１１４    フラッシュ
１１５    ＡＦ
１２０    撮像素子
１２１    ＣＤＳ／ＡＧＣ
１２２    Ａ／Ｄ
１３０    ＤＳＰ
１３１    ＡＦ部
１３２    測光部
１３３    Ｂ．Ｃ（バッテリチェック部）
１４０    ＳＤＲＡＭ
１４１    メモリカード
２００    スライドスイッチ
２００Ａ    視認窓
【図１】
2005274986.tif 000003
【図２】
2005274986.tif 000004
【図３】
2005274986.tif 000005
【図４】
2005274986.tif 000006
【図５】
2005274986.tif 000007
【図６】
2005274986.tif 000008
【図７】
2005274986.tif 000009